(57)【要約】【課題】微細な凹凸構造を有し、通常の照明条件下では、黒色または暗灰色に見え、特定条件下において観察すると鮮やかな色が見える表示体において、特定条件下で観察される鮮やかな色からなる画像パターンを、より高精細な階調表現を可能にしようとするものである。【解決手段】レリーフ構造形成層に設けた凹凸構造領域において、第１の凹凸構造部とこれに隣接し、かつ第１の凹凸構造部の凹部または凸部の中心間距離よりも前記中心間距離が小さい第２の凹凸構造部を設けることにより、従来にない高精細な階調表現を可能とする。【選択図】図１
2017032900.tif 000002
【特許請求の範囲】
【請求項１】
光透過性基材と、前記基材の少なくとも一方の面上に設けられ、前記基材に接する面と反対側の面に凹凸構造領域を備えるレリーフ構造形成層と、前記レリーフ構造形成層の凹凸構造領域の少なくとも一部を被覆する反射層を備えた表示体であって、
前記レリーフ構造層の凹凸構造領域が、少なくとも第１の凹凸構造部と、これに隣接して設けられる第２の凹凸構造部とからなり、
前記第１の凹凸構造部が、二次元的に配列した複数の凹部または凸部からなり、隣接する前記凹部または凸部の中心間距離が一定で、かつ４００ｎｍ以下であり、前記凹部または凸部の前記基材表面と鉛直な方向の高さが２００ｎｍから６００ｎｍであり、通常の照明条件下において法線方向から観察した場合に黒色もしくは暗灰色を表示するとともに特定条件下において回折光射出機能を有しており、
前記第２の凹凸構造部が、二次元的に配列した複数の凹部または凸部からなり、凹部または凸部の中心間距離が一定で、第１の凹凸構造部の凹部または凸部の中心間距離よりも小さく、かつ２５０ｎｍ以下であり、前記通常の照明条件下において法線方向から観察した場合に黒色もしくは暗灰色と同一の色として知覚される色を表示し、前記特定条件下において回折光射出機能を有しないことを特徴とする表示体。
【請求項２】
前記レリーフ構造形成層の凹凸構造領域が、複数のセルを配列して形成されて成り、単一のセルは、少なくとも前記第１の凹凸構造部と前記第２の凹凸構造部とからなり、前記複数のセルは、各セル毎に、前記単一セル中の前記第２の凹凸構造部が占める面積比率が１００％から０％の間の任意の比率とされ、配列されていることを特徴とする請求項１に記載の表示体。
【請求項３】
前記レリーフ構造形成層の凹凸構造領域が、複数のセルを配列して形成されて成り、前記複数のセルは、単一のセルが、少なくとも前記第１の凹凸構造部または前記第２の凹凸構造部の何れかによって形成された複数種のセルからなり、配列されていることを特徴とする請求項１に記載の表示体。
【請求項４】
請求項１から３のいずれかに記載の表示体を、一部または全体に設けたことを特徴とする表示体付き物品。
【発明の詳細な説明】
【技術分野】
【０００１】
本発明は、偽造防止技術を中心として、その視覚的な特性から装飾効果及び／又は美的効果を提供するため光学技術を用いた表示体に関する。
【背景技術】
【０００２】
キャッシュカード、クレジットカード、ＩＤカード及びパスポートなどの認証物品並びに有価証券類、証明書などにおいては、偽造が困難であることが望まれる。そのため、従来から、そのような物品には、偽造防止効果に優れた表示体を支持させることがある。
【０００３】
また、近年では、認証物品及び有価証券以外の物品についても、偽造品の流通が問題視されている。そのため、このような物品にも偽造防止技術を適用する機会が増えている。
【０００４】
このような表示体の一種に、回折格子、ポログラム及びレンズアレイなどの微細構造を含んでいるものがある。これら微細構造は、解析することが困難であり、またこれら微細構造を含んだ表示体を製造するためには、電子線描画装置などの高価な製造設備が必要あることから、高い偽造防止効果を発揮しうるものである。
【０００５】
特許文献１には、複数の画素を配列してなる表示体が記載されている。この表示体においては、各画素は、複数の溝を配置してなるレリーフ型回折格子を含んでいる。
【０００６】
この表示体は、回折光を利用して画像を表示するため、印刷技術や電子写真技術を利用した偽造等は不可能である。従って、この表示体を真偽判定用のラベルや転写箔として物品に取り付けることで、その物品が真正品であることを確認することができる。
【０００７】
しかしながら、前記の溝を配置してなるレリーフ型回折格子は、レーザーなどの装置によって、一見類似しているものを作製することが可能であることから、より微細な構造を形成する手法が見出されてきた。
【０００８】
例えば、特許文献２では、二次元的に配列した複数の凹部または凸部またはその両方を含む凹凸構造領域を備えた表示体が記載されている。
【０００９】
この表示体は、従来の溝を配置してなるレリーフ型回折格子や所謂エンボス型ホログラムなどに比べて微細な構造を持っており、レーザーなどの装置による偽造も困難である。また、エンボス型ホログラムなどとは異なり、通常の照明条件下では「黒色」または「暗灰色」に見え、特定条件下すなわち表示体の表示面に対して浅い角度で観察すると鮮やかな色が見えるというものである。
【００１０】
さらに、特許文献３には、前記凹凸構造領域と印刷技術とを組み合わせたことにより、前記特定条件下すなわち表示体の表示面に対して浅い角度で観察した時の表示効果を向上させる技術などが記載されている。
【先行技術文献】
【特許文献】
【００１１】
【特許文献１】特開平２−７２３２０号公報
【特許文献２】特許第４９９８４０５号公報
【特許文献３】特許第４４２０１３８号公報
【発明の概要】
【発明が解決しようとする課題】
【００１２】
本発明の目的は、より高い偽造防止効果を実現することにあり、前記通常の照明条件下では「黒色」または「暗灰色」に見え、特定条件下すなわち表示体の表示面に対して浅い角度で観察すると鮮やか色が見えるという表示体において、前記特定条件下において観察される回折光によるパターンが、従来の印刷技術との組み合わせでは実現できなかった、高精細な階調表現や微細パターンなどの表現を可能にしようとするものである。
【課題を解決するための手段】
【００１３】
本発明はこれらの課題を解決すべくなされたものである。
すなわち、請求項１に記載の発明は、光透過性基材と、前記基材の少なくとも一方の面上に設けられ、前記基材に接する面と反対側の面に凹凸構造領域を備えるレリーフ構造形成層と、前記レリーフ構造形成層の凹凸構造領域の少なくとも一部を被覆する反射層を備えた表示体であって、前記レリーフ構造層の凹凸構造領域が、少なくとも第１の凹凸構造部と、これに隣接して設けられる第２の凹凸構造部とからなり、
前記第１の凹凸構造部が、二次元的に配列した複数の凹部または凸部からなり、隣接する前記凹部または凸部の中心間距離が一定で、かつ４００ｎｍ以下であり、前記凹部または凸部の前記基材表面と鉛直な方向の高さが２００ｎｍから６００ｎｍであり、通常の照明条件下において法線方向から観察した場合に黒色もしくは暗灰色を表示するとともに特定条件下において回折光射出機能を有しており、
前記第２の凹凸構造部が、二次元的に配列した複数の凹部または凸部からなり、凹部または凸部の中心間距離が一定で、第１の凹凸構造部の凹部または凸部の中心間距離よりも小さく、かつ２５０ｎｍ以下であり、前記通常の照明条件下において法線方向から観察した場合に黒色もしくは暗灰色と同一の色として知覚される色を表示し、前記特定条件下において回折光射出機能を有しないことを特徴とする表示体である。
【００１４】
次に、請求項２に記載の発明は、前記レリーフ構造形成層の凹凸構造領域が、複数のセルを配列して形成されて成り、単一のセルは、少なくとも前記第１の凹凸構造部と前記第２の凹凸構造部とからなり、前記複数のセルは、各セル毎に、前記単一セル中の前記第２の凹凸構造部が占める面積比率が１００％から０％の間の任意の比率とされ、配列されていることを特徴とする請求項１に記載の表示体である。
【００１５】
請求項３に記載の発明は、前記レリーフ構造形成層の凹凸構造領域が、複数のセルを配列して形成されて成り、前記複数のセルは、単一のセルが、少なくとも前記第１の凹凸構造部または前記第２の凹凸構造部の何れかによって形成された複数種のセルからなり、配列されていることを特徴とする請求項１に記載の表示体である。
【００１６】
請求項４に記載の発明は、請求項１から３のいずれかに記載の表示体を、一部または全体に設けたことを特徴とする表示体付き物品である。
【発明の効果】
【００１７】
本発明によれば、前記通常の照明条件下では、黒色または暗灰色に見え、前記特定条件下すなわち表示体の表示面に対して浅い角度で観察した際に、従来のエンボス型ホログラムなどでは観察できなかった鮮やかな色（射出回折光）を観察できると同時に、その射出回折光の明暗の階調を従来よりも高精細に、より豊かに表現することができ、また微細パターンなども表現することが可能となることから、偽造・改竄防止効果を向上させることができる。
【図面の簡単な説明】
【００１８】
【図１】本発明の一態様に係わる表示体を概略的に示す平面図である。
【図２】図１に示す表示体のＺ−Ｚ線に沿った断面を模式的に示す断面図である。
【図３】本発明の表示体の凹凸構造領域の一例を模式的に示す斜視図である。
【図４】凹凸構造領域が回折光を射出する様子を概略的に示す図である。
【図５】本発明の単一セル内の第１の凹凸構造部と第２の凹凸構造部の面積比を変化させて、階調表現する１例を示す平面図である。
【図６】本発明の第１の凹凸構造部からなる単一セルと第２の凹凸構造部からなる単一セルとを配列する仕方によって階調表現する１例を示す平面図である。
【図７】本発明の微細パターン作成例を示す平面図である。
【図８】本発明の表示体を貼付したカード例を示す平面図である。
【発明を実施するための形態】
【００１９】
以下では、本発明の実施形態について図面を参照しながら説明する。なお、各図において、同様又は類似した機能を発揮する校正要素には同一の参照符号を付し、重複する説明は省略する。
【００２０】
図１は本発明の一態様に係わる表示体を概略的に示す平面図である。図２は、図１に示す表示体のＺ−Ｚ線に沿った断面を模式的に示す断面図である。
【００２１】
この表示体１００は、光透過性基材１０１と、この基材１０１の一方の面上に設けられ、基材１０１に接する面と反対側の面に凹凸構造領域２００を備えるレリーフ構造形成層１０２と、レリーフ構造形成層の凹凸構造領域２００の少なくとも一部を被覆する反射層１０３からなっており、前記凹凸構造領域は第１の凹凸構造部２０１とこれに隣接する第２の凹凸構造部２０２とからなっている。
【００２２】
光透過性基材１０１としては、ポリカーボネート（ＰＣ）、アクリル、ポリエチレンテレフタレート（ＰＥＴ）、ポリエチレンナフタレート（ＰＥＮ）、トリアセチルセルロース（ＴＡＣ）などの光透過性を有する樹脂からなるフィルム又はシートである。また、基材１０１の材料として、ガラスなどの無機材料を使用してもなんら問題はない。基材１０１は、単層構造を有していても良く、多層構造を有していても良い。更に、基材１０１には、反射防止処理、低反射防止処理、ハードコート処理、帯電防止処理および防汚処理、あるいは易接着処理などの各種処理を施しても良い。
【００２３】
レリーフ構造形成層１０２の材料としては、例えば、光透過性を有する樹脂を使用することができ、熱可塑性樹脂、熱硬化性樹脂、光あるいは電子線などの放射線硬化性樹脂などを使用することにより、原版を用いた熱圧転写方式により、基材１０１の一方の面上に複数の凹部または凸部からなる凹凸構造領域２００を容易に形成することができる。また、基材１０１とレリーフ構造形成層１０２の材料は、同一であっても、異なっていても良く、更には、基材１０１とレリーフ構造形成１０２との間に、剥離層あるいは離型層、中間層、印刷層、光学機能層などを任意に設けることも可能である。
【００２４】
光学機能層としては、コレステリック液晶などの液晶材料や透明乃至半透明の顔料の表面を屈折率の異なる物質で被覆した顔料を含むインキ層などを挙げることができるが、これらに限定されるものではない。
【００２５】
光反射層１０３としては、例えば、アルミニウム、銅、銀、クロム、及びそれらの合金などの金属材料からなる金属層を使用することができる。あるいは、光反射層１０３として、レリーフ構造形成層１０２とは屈折率が異なる誘電体層を使用しても良い。あるいは、光反射層１０３として、隣り合うもの同士の屈折率が異なる誘電体層の積層体、すなわち誘電体多層膜を使用しても良い。但し、誘電体多層膜が含む誘電体層のうちレリーフ構造形成層１０２と接触しているものの屈折率は、レリーフ構造形成層１０２の屈折率とは異なっているのが好ましい。
【００２６】
また、反射層はマスク印刷層やフォトレジストを用いてパターニングした化学エッチング法あるいは、水溶性樹脂からなるインキによってレリーフ構造形成層１０２上にパターン印刷を施した後、蒸着法あるいはスパッタリング法等で光反射層を設け、その後水溶性樹脂も含めて水洗処理することによる水性エッチング法などを用いて、光反射層をパターン状に設けても良い。
【００２７】
図３は、図１および図２に示す表示体の凹凸構造領域２００に採用可能な構造の一例を拡大して示す斜視図である。
【００２８】
図３に示す凹凸構造領域には、複数の凸部２１０が設けられている。ここでは、複数の凸部２１０のみにより凹凸構造領域２００が形成されているが、これは一例にすぎず、本発明では、複数の凹部を用いて凹凸構造領域２００を形成することができる。
【００２９】
また、図１および図２には、凹凸構造領域２００と非凹凸構造領域２２０が示されているが、非凹凸構造領域２２０は、なんらレリーフ構造が形成されていない、事実上平坦な構造であっても良いが、微細な溝構造などからなる回折格子パターン領域が設けられていても良い。有価証券類等に貼付されている回折格子パターン表示体は、アルミニウム等の光反射層と回折格子構造によって回折光が射出され、虹色に輝く効果を有している。前記回折格子構造による回折光が観察者側に射出されないような観察条件下においては、光反射層の金属光沢（例えば、金色や銀色等）が知覚されるのみである。凹凸構造領域２００と前記回折格子パターン領域を具備する表示体では、回折格子パターンからなる所謂ホログラム様の画像と共に、従来の回折格子パターン表示体では表現できない黒色や暗灰色の表示が可能となるので、従来の回折格子パターン表示体とは異なる視覚効果を得ることができる。回折格子パターン領域を設けることで、観察時の装飾性を高めると同時に、より高い偽造防止効果を得ることができる。
【００３０】
また表示体１００は、その用途目的等に応じて、反射層１０３を有する側に、中間層や印刷層、感圧接着剤や感熱接着層などの各種層を設けてもなんら問題はない。
【００３１】
次に、凹凸構造領域２００に起因した表示体１００の特殊な視覚効果について説明する。
【００３２】
本発明におけるレリーフ構造形成層１０２に設けられた単一の凹部または凸部の表面積は、単一の凹部または凸部をレリーフ構造形成層１０２表面へ配列するのに要する占有面積の１．５倍以上であることが好ましい。単一の凹部または凸部の表面積が占有面積の１．５倍以上とすることにより、良好な低反射性、低散乱性を得ることができる。すなわち、目視した時に、黒色として認識しやすくなるためである。一方で、単一の凹部または凸部の表面積が占有面積の１．５倍より小さい場合には、反射率が高くなるため好ましくない。
【００３３】
レリーフ構造形成層に形成されている複数の凹部または凸部の形成方法としては、金属性のスタンパー等を用いて、放射線硬化成形や押し出し成形、熱プレス成形など種々の方法を用いることができる。また、レリーフ構造形成層の形成される複数の凹部または凸部に用いられる形状としては、例えば、円錐状、角錐状、楕円錐状、円柱状もしくは円筒状、角柱状もしくは角筒状、截頭円錐状、截頭角錐状、截頭楕円錐状、円柱もしくは円筒に円錐を接合した形状、角柱もしくは角筒に角錐を接合した形状、半球、半楕円体、弾丸型、おわん型をした形状等を挙げることができる。
【００３４】
特に、レリーフ構造形成層に形成される複数の凹部または凸部の断面はテーパー形状であることが好ましい。複数の凹部または凸部の断面がテーパー形状であると金属性のスタンパーと樹脂との離型性が高く、量産性に優れているためである。さらに、複数の凹部または凸部の断面がテーパー形状である場合、複数の凹部または凸部の断面が矩形状のものより良好な低反射性、低散乱性を得ることができる。
【００３５】
ここで、テーパー形状とは、凹部または凸部の基材表面に対して平行な断面積が、凹部または凸部の基端から先端に行くに従い減少するように形成されている場合をいう。
【００３６】
図３に示す様に、凹凸構造領域２００において、隣接する凹部または凸部の中心間距離が一定である時、図４に示すように、この凹凸構造領域２００に光を照射すると、凹凸構造領域２００は、入射光３０１の進行方向に対して、特定の方向に回折光を射出する。
【００３７】
一般的に回折光に関しては、以下の式で表すことができる。
【００３８】
ｄ（ｓｉｎα±ｓｉｎβ）＝ｎλ  …  （１）
この等式（１）において、ｄは凹部または凸部の中心間距離を表し、λは入射光および回折光の波長を表している。また、αは入射光の入射角を、βは回折光の射出角を表しており、ｎは次数であり、最も代表的な回折光は、１次回折光であることから、ｎ＝１と考えることができる。
【００３９】
ここで、入射角αは、０次回折光すなわち正反射光の射出角と同じと考えることができ、また、α、βは、表示体に対する法線方向すなわち、図４のＺ軸から時計回りの方向を正方向とする。
よって、等式（１）は以下の式となる。
【００４０】
ｄ（ｓｉｎα−ｓｉｎβ）＝λ  …  （２）
従って、凹部または凸部の中心間距離ｄと、入射角すなわち０次回折光の射出角αを一定とした時、等式（２）から明らかなように、１次回折光３０３の射出角βは、波長λに応じて変化する。
すなわち、凹凸構造領域２００は分光器としての機能を有している。従って、照明光が白色光である場合、凹凸構造領域２００の観察角度を変化させると、観察者が知覚する色が変化することとなる。
【００４１】
また、或る観察条件のもとで観察者が知覚する色は、凹部または凸部の中心間距離ｄに応じて変化する。一例として、凹凸構造領域２００が、その法線方向に１次回折光３０３を射出するとする。すなわち、１次回折光３０３の射出角βは、０°であるとする。そして、観察者は、この１次回折光を知覚するとする。この時の０次回折光３０２の射出角をαNとすると、等式（２）は、下記の等式（３）へと簡略化することができる。
【００４２】
ｄ＝λ／ｓｉｎαN  …  （３）
等式（３）から明らかなように、法線方向からの観察者に対し、特定の色を知覚させるには、その色に対応した波長λと照明光の入射角｜αN｜と中心間距離ｄとを、それらが等式（３）に示す関係を満足するように設定すれば良い。
【００４３】
本発明における凹凸構造領域２００は、第１の凹凸構造部２０１と第２の凹凸構造部２０２とからなるが、そのいずれにおいても二次元的に配列した複数の凹部または凸部からなっており、それぞれの凹部または凸部の中心間距離は、第１の凹凸構造部２０１では、４００ｎｍ以下であり、第２の凹凸構造部２０２では、第１の凹凸構造部２０１よりも小さい値であって、かつ２５０ｎｍ以下である。
【００４４】
すなわち、ｄ＝４００ｎｍとし、通常ではあり得ない入射角αN＝９０°とした場合でも法線方向から観察可能な光の波長は４００ｎｍとなる。このことから、第１の凹凸構造部２０１では、入射光３０１に対する正反射光３０２の反射率を著しく低減させることができ、また、構造の周期性により入射光３０１の入射角度によっては可視光の１次回折光３０３を特定方向に発生させることができる。
【００４５】
従って、例えば、表示体１００を通常の照明条件下で、その法線方向から観察した場合、第１の凹凸構造部は、黒色または暗灰色に見える。
【００４６】
また、第１の凹凸構造部２０１からの１次回折光３０３の射出角が−９０°〜９０°の範囲内であれば、表示体１００の法線方向と観察方向とが為す角度を適宜設定することにより、観察者は第１の凹凸構造部２０１からの１次回折光３０３を知覚することができる。それゆえ、この場合、第１の凹凸構造部２０１が黒色または暗灰色とは異なることを、目視によって確認することができる。
【００４７】
一方、第２の凹凸構造部２０２では、凹部または凸部の中心間距離が第１の凹凸構造部２０１よりも小さく、かつ２５０ｎｍ以下であり、更に望ましくは、凹部または凸部の中心間距離は２００ｎｍ以下である。従って、第１の凹凸構造部２０１と同様に入射光３０１に対する正反射光３０２の反射率を低減することができ、法線方向から観察した場合に、第２の凹凸構造部２０２においても、黒色または暗灰色に見せることができる。さらに、第２の凹凸構造部２０２はその凹部または凸部の中心間距離が２５０ｎｍ以下であるため、入射光３０１に対する１次回折光３０３に関し、第２の凹凸構造部２０２からの１次回折光３０３は、第１の凹凸構造部２０１において、１次回折光３０３を目視で観察できる条件下であっても、第２の凹凸構造部２０２では、１次回折光３０３を観察することはできない。
【００４８】
さらに、凹部または凸部の中心間距離を２００ｎｍ以下とすることによって、照射光の入射角すなわち０次回折光の射出角αを９０°とし、光の波長を４００ｎｍとしても、１次回折光３０３は、射出角｜β｜＝９０°の角度でやっと観察可能な状況である。従って、凹部または凸部の中心間距離が２００ｎｍ以下であれば、１次回折光３０３を観察することはほとんどできない状況となる。
【００４９】
従って、第１の凹凸構造部２０１と第２の凹凸構造部２０２を隣接してパターン状に設けることにより、前記通常の照明条件下では、第１の凹凸構造部と第２の凹凸構造部とが双方とも黒色または暗灰色に見え、前記特定条件下における１次回折光３０３の射出状況を目視で観察すると、第１の凹凸構造部からの１次回折光３０３の射出パターンのみを高コントラストで観察することが可能となる。
【００５０】
ここで、図５および図６では、第１の凹凸構造部２０１と第２の凹凸構造部２０２の配置方法を示しており、これにより従来にない高精細な階調表現を実現するものである。
【００５１】
図５では、凹凸構造領域２００を複数のセル４００の配列によって形成されており、その単一のセル４００の中に、第１の凹凸構造部２０１と第２の凹凸構造部２０２が設けられており、第２の凹凸構造部２０２が占める面積を任意に変化させることによって、階調表現するものである。
【００５２】
このようにして作られたセル４００を任意のパターン状に配列することにより、表示体１００をその法線方向から観察した際には、一様に黒色または暗灰色に観察された部分が、前記特定条件下で観察することにより、第１の凹凸構造部２０１から射出される１次回折光３０３を目視観察することができ、その際、第１の凹凸構造部２０１と第２の凹凸構造２０２からなるセル群の配列パターンに応じて、高精細な階調表現を観察することができる。
【００５３】
この様な表示体１００の法線方向から観察された黒色または暗灰色で表現されるパターンと前記特定条件下での１次回折光３０３によって目視観察できるパターンとの相違を生み出す効果は、第１の凹凸構造部２０１からなる凹凸構造領域と黒色インキを用いた印刷層とを組み合わせることによっても類似の効果を生じさせることができるが、本発明の手法によれば、印刷技術では再現困難な微細なセル４００を形成することが可能であり、例えば１００μｍ角以下、さらに望ましくは５０μｍ角以下のセル４００を任意に設計することが可能であり、これらのセル群を配列することで、印刷との組み合わせでは表現困難な高精細な階調表現が可能となる。
【００５４】
ここで、図５ではセル４００中の第２の凹凸構造部２０２の形成パターン例を示しているが、セル４００中の第２の凹凸構造部２０２の面積比率によって、階調表現が可能となるのであって、セル４００中における第２の凹凸構造部２０２の配置パターンは任意に設定することが可能である。
【００５５】
図６では、凹凸構造領域２００を複数のセル４００の配列によって形成されており、その単一のセル４００は、第１の凹凸構造部２０１からなるものと、第２の凹凸構造部２０２からなるものとがあり、それらの何れかのセルを任意に配列することによって、高精細な階調表現を実現するものである。図６の方法においても、単一のセル４００はそのサイズを任意に設計することが可能であり、印刷との組み合わせでは表現困難な階調表現をすることが可能となる。
【００５６】
上記のような高精細な階調表現を有する画像パターンは、前記通常の照明条件下では認識困難な潜像パターンとなっており、前記特定条件下、すなわち凹凸構造領域２００を所定の角度に傾けた状態で観察することにより、第１の凹凸構造部２０１と第２の凹凸構造２０２からなる画像を観察することが可能となる。
【００５７】
また、これらの技術を用いることにより、図７に示すように、目視では確認困難な微細パターン情報を組み込むことも可能であり、前記特定条件を再現可能となるように、入射光３０１用の照明光源を配置し、１次回折光３０３を観察可能で、微細パターンを読取れるレンズ機能を有したカメラ等を配置した読み取り装置によって、真贋判定することが可能となり、目視による確認並びに検証装置による判定が可能な、高い偽造・改竄防止機能を有する表示体を提供し得るものである。
【００５８】
図８は、本発明の表示体１００を備えた物品の一例を概略的に示した説明図である。ここでは、物品としてカードを例示しているが、表示体１００を含んだ物品はこれに限定されるものではない。
【００５９】
カード等に貼付される表示体１００としては、例えば前記回折格子パターン領域と組み合わせることによって、通常の照明条件下でもデザイン性が高く、前記の特定条件下でも凹凸構造領域２００から高精細な潜像パターンを目視観察によって確認することができ、また図７に例示されるような微細パターンを設けることにより、検証装置による真偽判定も可能な、高い偽造・改竄防止効果を有するセキュリティ物品を提供することが可能となる。
【符号の説明】
【００６０】
１００  …  表示体
１０１  …  光透過性基材
１０２  …  レリーフ構造形成層
１０３  …  反射層
２００  …  凹凸構造領域
２０１  …  第１の凹凸構造部
２０２  …  第２の凹凸構造部
２１０  …  凸部
２２０  …  非凹凸構造領域
３０１  …  入射光
３０２  …  正反射光または０次回折光
３０３  …  １次回折光
４００  …  単一セル
５００  …  カード
【図２】
2017032900.tif 000003
【図３】
2017032900.tif 000004
【図４】
2017032900.tif 000005
【図５】
2017032900.tif 000006
【図６】
2017032900.tif 000007
【図７】
2017032900.tif 000008
【図１】
2017032900.tif 000009
【図８】
2017032900.tif 000010